(57)【要約】【課題】  肌着を着たままで透析液の交換を行なうことができ且つ皮膚かぶれを起こし難い肌着を提供することを提供する。【解決手段】  本発明の肌着１は、肌着（シャツ）１の表側腹部（看者の腹部位置）２に医療用人工透析チューブ（人工透析チューブ）３を通すチューブ孔５と、輪状に巻いた透析チューブ３を収納する収納ポケット７とを設けるようにした。また、チューブ孔５は腹部２の略中央に設けており、その右隣り（看者の腹部右側位置）に収納ポケット７を配置している。【選択図】      図１
0003103127.tif 000002
【実用新案登録請求の範囲】
【請求項１】
肌着の表側腹部に医療用人工透析チューブを通すチューブ孔と、輪状に巻いた透析チューブを収納する収納ポケットとを設けたことを特徴とする肌着。
【請求項２】
チューブ孔は肌着の腹部の略中央に設けたことを特徴とする請求項１に記載の肌着。
【請求項３】
収納ポケットはチューブ孔の隣りに配置していることを特徴とする請求項１又は２に記載の肌着。
【請求項４】
チューブ孔はスリットであり、スリット周囲に補強材を設けていることを特徴とする請求項１〜３の何れか一項に記載の肌着。
【考案の詳細な説明】
【技術分野】
【０００１】
本考案は、人工透析患者用の肌着に関する。
【背景技術】
【０００２】
従来、透析方法として血液を体外に取り出して血液浄化を行う血液透析と、体内の腹膜を利用して透析を行なう腹膜透析がある。後者の方法では、看者の体内に埋め込まれたカテーテルの先端部に人工透析チューブを接続し、係る人工透析チューブを通して腹腔内の老廃液を廃液し、その後、新しい透析液を腹腔内に注液している。また、人工透析チューブは輪状に巻いてお腹の皮膚に固定している（従来例１）。
【０００３】
一方、特許文献１には、人造膀胱の排出口となる孔と人造膀胱を収納する収納ポケットを設けた下着が開示されている。
【０００４】
【特許文献１】実開平７−１３３１３号公報
【考案の開示】
【考案が解決しようとする課題】
【０００５】
上述の従来例１では、人工透析チューブのじゃまにならないように看者は肌着をまくり上げて、お腹を出したままで透析液の交換を行っていたため、お腹を冷やしたり、特に女性の場合には恥ずかしい思いをする等の不快感を生じるという問題があり、肌着を着たままで透析液の交換を行うことが望まれている。
【０００６】
また、人工透析チューブをお腹の皮膚に固定しているため、固定用のテープで皮膚がかぶれるという問題もある。
【０００７】
一方、特許文献１の人造膀胱用の下着を、透析チューブを用いる人口透析看者に使用することはできない。
【０００８】
本考案は、肌着を着たままで透析液の交換を行うことができ且つ皮膚かぶれを起こし難い肌着を提供することを目的とする。
【課題を解決するための手段】
【０００９】
前記課題を解決するために、請求項１に記載された考案は、肌着の表側腹部に医療用人工透析チューブを通すチューブ孔と、輪状に巻いた透析チューブを収納する収納ポケットとを設けたことを特徴とする。
【００１０】
請求項２に記載された考案は、請求項１に記載の考案において、チューブ孔は肌着の腹部分の略中央に設けたことを特徴とする。
【００１１】
請求項３に記載された考案は、請求項１又は２に記載の考案において、収納ポケットはチューブ孔の隣りに配置していることを特徴とする。
【００１２】
請求項４に記載された考案は、請求項１〜３の何れか一項に記載の考案において、チューブ孔はスリットであり、スリット周囲に補強材を設けていることを特徴とする。
【考案の効果】
【００１３】
請求項１に記載の考案によれば、透析液を交換する際には、腹腔内に埋め込まれたカテーテルの端部に医療用人工透析チューブ（透析チューブ）を接続し、肌着の表側腹部のチューブ孔から外に出す。そして、透析チューブを通して腹腔内に溜まった老廃液を廃液し、その後、新しい透析液を腹腔内に注入する。また、透析チューブはチューブ孔から出た位置で輪状に巻いた収納ポケットに収納する。
【００１４】
このように、肌着の表側腹部に透析チューブが通るチューブ孔を設けたので、肌着を着たままの状態で透析液の交換を行うことができる。
【００１５】
また、肌着の表側腹部に透析チューブを収納する収納ポケットを設けたので、透析チューブを看者のお腹に固定する必要がなく、固定用のテープによる皮膚のかぶれを防止できる。
【００１６】
請求項２に記載された考案によれば、請求項１に記載された考案と同様の効果が得られるとともに、透析チューブを通すチューブ孔を肌着の腹部の略中央に設けたので、腹部に埋め込まれたカテーテルに接続された透析チューブをチューブ孔からスムーズに肌着の外に導くことができ、透析チューブに引張られて肌着がめくれたりするのを防止できる。
【００１７】
請求項３に記載された考案によれば、請求項１又は２に記載された考案と同様の効果が得られるとともに、収納ポケットをチューブ孔の隣りに配置したので、チューブ孔の出口付近で透析チューブが揺れにくく、透析チューブとカテーテルとの接続部分が引張られるのを防止できる。
【００１８】
請求項４に記載された考案によれば、請求項１〜３の何れかに記載された考案と同様の効果が得られるとともに、スリット周囲に補強材を設けたので、スリットの周囲から肌着の繊維がほどけるのを防止できる。
【考案を実施するための最良の形態】
【００１９】
以下に、添付図面を参照して、本考案の実施の形態を詳細に説明する。図１は本実施の形態に係る肌着を示す正面図、図２は図１に示す肌着の使用例を示す斜視図であり、図２中一点鎖線で抜き出して示す図は肌着の腹部分を示す正面図である。
【００２０】
本考案の実施の形態に係るシャツ（肌着）１は、人工透析看者が用いるものであり、シャツ１の表側の腹部（看者の腹部位置）２に透析チューブ（人工透析チューブ）３を通すチューブ孔５と、巻いた透析チューブ３を収納する収納ポケット７とを備えている。また、チューブ孔５は腹部２の略中央に設けており、その右隣り（看者の腹部右側位置）に収納ポケット７を配置している。
【００２１】
チューブ孔５は上下に切り開かれたスリットであり、透析チューブ３がスリット内で上下に移動できるようになっている。
【００２２】
また、スリット周囲に補強材９を設けており、スリットの周囲からシャツ１の繊維がほつれることを防止している。
【００２３】
次に、本実施の形態に係る作用を説明する。透析液を交換する際には、体内に埋め込まれたカテーテル１０の先端に透析チューブ３を接続し、シャツ１のチューブ孔５から透析チューブ３を外に出す。また、透析チューブ３はチューブ孔５から出た位置で輪状に巻いて収納ポケット７に収納する。そして、透析チューブ３を切り替えコネクタ１１の接続口に接続し、透析チューブ３を通して腹腔内に溜まった老廃液を廃液バック１３に廃液する。老廃液の排出が終了した後、スタンド１７に吊下げられた透析バッグ１５から新しい透析液を腹腔内に注入する。
【００２４】
このように、シャツ１の表側腹部２に透析チューブ３が通るチューブ孔５を設けたので、シャツ１を着たままの状態で透析液の交換を行うことができ、お腹を露出させる必要がなく、お腹が冷えるのを防止できる。
【００２５】
また、シャツ１の表側腹部２に透析チューブ３を収納する収納ポケット７を設けたので、透析チューブ３を看者のお腹に固定する必要がなく、固定用のテープによって皮膚がかぶれるのを防止できる。
【００２６】
チューブ孔５をシャツ１の腹部２の略中央に設けたので、腹部に埋め込まれたカテーテル１０に接続された透析チューブ３をチューブ孔５からスムーズにシャツ１の外に導くことができ、透析チューブ３に引張られてシャツ１がめくれたりするのを防止できる。
【００２７】
なお、本考案は上述した実施の形態に限定されず、その要旨を逸脱しない範囲で種々の変形が可能である。
【００２８】
上述の実施の形態では、収納ポケット７は看者の腹部右側位置にくるようにしたが、看者の腹部左側位置にくるようにしても良い。
【図面の簡単な説明】
【００２９】
【図１】本実施の形態に係る肌着を示す正面図である。
【図２】図１に示す肌着の使用例を示す斜視図であり、図２中一点鎖線で抜き出して示す図は肌着の腹部を示す正面図である。
【符号の説明】
【００３０】
１      シャツ（肌着）
３      透析チューブ（人工透析チューブ）
５      チューブ孔
７      収納ポケット
９      補強材
【図１】
0003103127.tif 000003
【図２】
0003103127.tif 000004